(57)【要約】  【課題】登録済みの電話番号にワイヤレスハンズフリー機器からワンタッチ操作で発信でき、ハンズフリー通話装置の使い勝手を向上させる。  【解決手段】ハンズフリー通話装置３は、単数又複数の電話機１と、電話機１と近距離通信可能なワイヤレスハンズフリー機器２とから成る。ワイヤレスハンズフリー機器２は、電話機１に相手Ｐから着信があった時、相手Ｐの電話番号を一旦保存するメモリ１３と、メモリ１３に保存された着信番号を登録するメモリ１４とを内蔵する。また、ワイヤレスハンズフリー機器２は、メモリ１４に登録された電話番号で発信する発信ボタン５，６，７を有し、発信ボタン５，６，７は、保存された着信番号をメモリ１４に登録する操作部としても機能する。  【選択図】  図１
2006311247.tif 000002
【特許請求の範囲】
【請求項１】
電話機と無線リンクされたワイヤレスハンズフリー機器を有するハンズフリー通話装置であって、前記ワイヤレスハンズフリー機器は、前記電話機に着信があったか否かを判断する判定部と、該判定部により着信ありと判断されたときに着信番号が一旦保存される保存用メモリと、該保存用メモリに保存された着信番号を発信用メモリに登録するための登録操作部とを具備することを特徴とする発信番号登録機能付きハンズフリー通話装置。
【請求項２】
上記登録操作部は発信操作部の機能を兼用するように構成されていることを特徴とする請求項１記載の発信番号登録機能付きハンズフリー通話装置。
【請求項３】
上記登録操作部は複数設けられ、各登録操作部により複数の着信番号を各別に登録するように構成されていることを特徴とする請求項１又は２記載の発信番号登録機能付きハンズフリー通話装置。
【請求項４】
上記保存用メモリは、着信音の発生と同時に着信番号が保存されることを特徴とする請求項１，２又は３記載の発信番号登録機能付きハンズフリー通話装置。
【請求項５】
電話機と無線リンクされたワイヤレスハンズフリー機器を有するハンズフリー通話装置において、前記電話機に着信があったか否かを判定し、着信ありと判定されたとき着信番号を前記ワイヤレスハンズフリー機器の保存用メモリに一旦保存した後、該保存した着信番号を発信用メモリに登録操作部により登録することを特徴とするハンズフリー通話装置の発信番号登録方法。
【発明の詳細な説明】
【技術分野】
【０００１】
本発明は発信番号登録機能付きハンズフリー通話装置に関するものであり、特に、電話機と近距離で無線リンクされた機器を備えた発信番号登録機能付きハンズフリー通話装置及び発信番号登録方法に関するものである。
【背景技術】
【０００２】
従来、ハンズフリー通話装置は、電話機と近距離で無線（主にブルートゥース）リンクされたハンズフリー型無線機器（ワイヤレスハンズフリー機器）を備える。このハンズフリー型機器は、一般に、使用者が活動しながらハンズフリー通話、いわゆる「ながら通話」を行う場合に好適に使用される。このため、多くのハンズフリー型無線機器は通常、操作手順が多くなる発信機能を有しない。また、ハンズフリー型無線機器が発信機能を有する場合でも、発信される電話番号は電話機自体に予め登録されており、電話機に登録された電話番号を利用して発信している（例えば、特許文献１参照）。
【特許文献１】特開２００１−３０９００８号
【発明の開示】
【発明が解決しようとする課題】
【０００３】
従来のハンズフリー通話装置は、電話機に登録されている電話番号を利用して、リモート操作により発信するものであり、ワイヤレスハンズフリー機器側で登録して発信できない。即ち、ワイヤレスハンズフリー機器に接続されている携帯電話機は、発信番号登録機能を有するために、それを利用すれば携帯電話機に登録済みの電話番号で発信できる。しかし、ワイヤレスハンズフリー機器自体は発信番号登録機能を有しないために、使用者は、そのつど個別の携帯電話機に登録された電話番号を用いて発信しなければならず、使い勝手が良くないという問題があった。
【０００４】
そこで、ワイヤレスハンズフリー機器自体が発信番号登録機能を有し、携帯電話機に着信があった電話番号を登録して、該電話番号にワイヤレスハンズフリー機器側から該電話番号で簡便に発信できる使い勝手の良いハンズフリー通話装置を提供するために解決すべき技術的課題が生じてくるのであり、本発明は該課題を解決することを目的とする。
【課題を解決するための手段】
【０００５】
本発明は上記目的を達成するために提案されたものであり、請求項１記載の発明は、電話機と無線リンクされたワイヤレスハンズフリー機器を有するハンズフリー通話装置であって、前記ワイヤレスハンズフリー機器は、前記電話機に着信があったか否かを判断する判定部と、該判定部により着信ありと判断されたときに着信番号が一旦保存される保存用メモリと、該保存用メモリに保存された着信番号を発信用メモリに登録するための登録操作部とを具備する発信番号登録機能付きハンズフリー通話装置を提供する。
【０００６】
この構成によれば、相手から電話機に着信があると、判定（処理）部において「着信あり」と判定される。すると、着信番号が保存用メモリに一旦保存される。次に、保存されている着信番号は、登録操作部を介して、発信用メモリに登録される。
【０００７】
請求項２記載の発明は、上記登録操作部は発信操作部の機能を兼用するように構成されている請求項１記載の発信番号登録機能付きハンズフリー通話装置を提供する。
【０００８】
この構成によれば、登録操作部は発信操作部の役割を有し、登録操作部を発信位置に操作することにより、発信用メモリに登録された電話番号で発信される。
【０００９】
請求項３記載の発明は、上記登録操作部は複数設けられ、各登録操作部により複数の着信番号を各別に登録するように構成されている請求項１又は２記載の発信番号登録機能付きハンズフリー通話装置を提供する。
【００１０】
この構成によれば、登録操作部が複数設けられているので、複数の相手から着信があった場合、個々の着信番号は複数の登録操作部により各別に登録される。
【００１１】
請求項４記載の発明は、上記保存用メモリは、着信音の発生と同時に着信番号が保存される請求項１，２又は３記載の発信番号登録機能付きハンズフリー通話装置を提供する。
【００１２】
この構成によれば、ワイヤレスハンズフリー機器と無線リンクされた電話機に着信があると、着信音の発生と同時に、着信番号が保存用メモリに自動的に保存される。
【００１３】
請求項５記載の発明は、電話機と無線リンクされたワイヤレスハンズフリー機器を有するハンズフリー通話装置において、前記電話機に着信があったか否かを判定し、着信ありと判定されたとき着信番号を前記ワイヤレスハンズフリー機器の保存用メモリに一旦保存した後、該保存した着信番号を発信用メモリに登録操作部により登録するハンズフリー通話装置の発信番号登録方法を提供する。
【００１４】
この構成によれば、相手から電話機に電話がかかってきて、「着信あり」と判定されると、着信番号がワイヤレスハンズフリー機器の保存用メモリに一旦保存される。この後、保存された着信番号は、登録操作部を介して、ワイヤレスハンズフリー機器の発信用メモリに登録される。
【発明の効果】
【００１５】
請求項１記載の発明は、相手がかけてきた電話番号が、ワイヤレスハンズフリー機器側の内部メモリに登録されるので、相手に電話をかけ直す際は、そのつど電話機側で電話番号を打ち込むことなく、ワイヤレスハンズフリー機器側で簡便に発信することができる。また、ワイヤレスハンズフリー機器１台を複数の利用者(携帯電話機所持者)で使う場合、複数の電話機に着信した個別の電話番号をすべて登録できる。即ち、１台のワイヤレスハンズフリー機器に多くの着信番号を登録して、各利用者によって発信される電話番号を多く取り込めるという格別の効果がある。
【００１６】
請求項２記載の発明は、登録操作部が発信操作部の役割を果たすので、請求項１記載の効果に加えて、発信操作部を別途設ける必要がなく、部品点数の削減が図れるというメリットを有する。
【００１７】
請求項３記載の発明は、複数の相手から電話着信があった場合でも、個々の着信番号が複数の登録操作部により別々に登録されるので、請求項１又は２記載の効果に加えて、複数の着信番号を確実に登録できると共に、着信番号の登録管理が容易になる。
【００１８】
請求項４記載の発明は、電話着信と同時に、着信番号が漏れなく保存されるので、請求項１，２又は３記載の効果に加えて、利用者は必要に応じて、保存された着信番号の全て又は一部を選択的に登録することができる。
【００１９】
請求項５記載の発明は、相手の電話番号がワイヤレスハンズフリー機器側の発信用メモリに登録されるので、ワイヤレスハンズフリー機器側において登録済みの電話番号で簡便に発信でき、従来のように、電話機側で煩雑なダイヤル入力操作を行う必要がないうえに、複数の電話機に着信した電話番号を登録して発信できるという優れた効果を奏する。
【発明を実施するための最良の形態】
【００２０】
本発明は、電話機と無線リンクされたワイヤレスハンズフリー機器を有するハンズフリー通話装置であって、ワイヤレスハンズフリー機器は、電話機に着信があったか否かを判断する判定部と、判定部により着信ありと判断されたときに着信番号が一旦保存される保存用メモリと、該保存用メモリに保存された着信番号を発信用メモリに登録するための登録操作部とを具備することにより、相手の電話番号を電話機でいちいち打ち込む必要がなく、ワイヤレスハンズフリー機器側に登録した電話番号で簡便に発信することができるという目的を達成した。
【実施例】
【００２１】
以下、本発明の一実施の形態を図１乃至図７に従って説明する。本発明は、発信側の電話番号をワイヤレスハンズフリー機器側に登録させ、ワイヤレスハンズフリー機器に無線接続した電話機に登録番号を付けて発信要求を出力することを要旨とする。ここで、前記電話番号を登録させる方法としては、大別して次の３種類が可能である。
【００２２】
第１の登録方法は、電話着信があったら、一時保存メモリに着信電話番号を保存し、使用者が保存させたい電話番号であれば、複数の発信ボタンの１つを引き出すことで、それと対応する発信メモリにデータ転送し保存する。その後、発信ボタンによる発信を可能にするために、発信ボタンを元の位置に戻しておく。
【００２３】
第２の登録方法は、着信があったら、一時保存メモリに着信電話番号を保存し、使用者が保存させたい電話番号であれば、発信ボタンを引き出し、その後に発信ボタンを戻すことで、対応発信メモリにデータ転送し保存する。
【００２４】
第３の登録方法は、一時保存メモリを使用しても、使用せず直接発信メモリに保存することも可能であり、引き出している発信ボタンを対応する発信メモリに、着信がある度に保存される。そして、引き出した発信ボタンを戻すことで、その後の着信番号の保存を禁止する。この場合、全ての発信ボタンを引出し、着信がある毎に発信ボタンを一つ一つ戻すことにより、着信電話番号の登録を素早く行うことができる。
【００２５】
次に、本実施形態の構成例について詳述する。図示例のハンズフリー通話装置３は、携帯通信端末等である単数又複数の電話機１と、該電話機１と近距離でワイヤレス通信可能なワイヤレスハンズフリー機器（ハンズフリー型無線機器）２とから成る。ワイヤレスハンズフリー機器２は、電話機１に着信があったときに相手Ｐの着信番号を一旦保存する保存用内部メモリ１３と、メモリ１３に一旦保存された着信番号を発信用メモリ１４に登録する操作部である３つの発信ボタン（発信操作部）５，６，７、例えば発信用ホットキーとを備える。
【００２６】
各登録ボタン５，６，７は、通常の電話着信の待ち受け状態では中立位置（図２参照）にあるが、電話番号の登録操作の際は、中立位置から上方に引き出される（図３参照）。登録ボタン５，６，７のいずれかを引き出すと、それに対応する発信用メモリ１４の領域が割り当てられ、着信番号の登録が可能になる。又、通常状態の登録ボタン５，６，７のいずれかをプッシュ操作すると、各登録ボタン５，６，７と対応するメモリ領域Ｒ１，Ｒ２，Ｒ３に登録された電話番号で自動発信される。
【００２７】
本発明は、相手Ｐの電話番号取得から発信コマンド発行までを、ワイヤレスハンズフリー機器２側で行うことができる。即ち、相手Ｐからの電話着信音の発生と同時に、発信側の電話番号がワイヤレスハンズフリー機器２にデータ転送され、これを一旦内部のメモリ１３に保存する。そして、発信用のホットキー（例えばプッシュボタン式スイッチキー）
から成る登録ボタン５，６，７のいずれかで着信番号を登録する。登録後、相手Ｐに電話する際は、当該登録ボタン５，６，７を押すことにより、電話機１を介して、登録されている電話番号で相手Ｐに電話発信する。
【００２８】
従って、従来のように、電話機１側のリダイヤル機能を利用したものとは異なり、着信があった電話番号のみを登録ボタン５，６，７にて登録できる。そのため、複数の携帯電話機の種類等を問わず幅広く適用できると共に、電話番号を入力する手間が不要になる。又、登録入力及び登録入力モードに設定する際は、登録ボタン５，６，７を一段引き出すという操作のみであるので、女性や老人などにも馴染みやすい。
【００２９】
ワイヤレスハンズフリー機器２としては、電話機向け無線（主にブルートゥース）ヘッドセットもしくはハンズフリー型無線機器が用いられる。ワイヤレスハンズフリー機器２は、携帯電話機１を介して電話をかける通常の発信機能だけでなく、着信した電話番号を簡単なボタン操作で登録できる新規な着信番号登録機能を有する。
【００３０】
尚、電話機１としては、ワイヤレスハンズフリー機器２と近距離で無線リンクされたものであれば、携帯電話機や車載電話機は無論のこと、固定電話機も適用可能である。例えば、自動車運転中のハンズフリー通話を補助するブルートゥース車載機器を用いることができる。
【００３１】
図１に示すワイヤレスハンズフリー機器２には、着信番号登録機能が搭載され、相手Ｐから着信があったときに、相手Ｐの電話番号を一旦保存する保存用メモリ１３と、該メモリ１３に保存された着信番号を記憶する発信用メモリ１４とが内蔵されている（図４参照）。また、ワイヤレスハンズフリー機器２の上面には、内部メモリ１３に記憶保存された電話番号に発信するための３つの発信ボタン（発信操作部）５，６，７が設けられている。前述のように、発信ボタン５，６，７は、保存用メモリ１３に一旦保存された着信番号を発信用メモリ１４に記憶登録する登録操作部としても機能する。
【００３２】
ワイヤレスハンズフリー機器２上面における発信ボタン５、発信ボタン７の下側には夫々、受話ボタン８、終話ボタン９が配設されている一方、発信ボタン６の上側にはスピーカ１０が配置されている。ワイヤレスハンズフリー機器２の一側面には、音量を調整するボリュームスイッチ１１，１２が設けられている。尚、ワイヤレスハンズフリー機器２の上面適所には、着信番号、発信番号又はメモリ１３，１４に保存、登録された電話番号を一覧表示するための表示画面を設けることもできる。
【００３３】
図４は、ワイヤレスハンズフリー機器２の構成例を示すブロック図である。ワイヤレスハンズフリー機器２は、電話機１とデータのやり取りが可能なブルートゥース通信部１５を有し、ブルートゥース通信部１５からのデータは処理部（ＣＰＵの判定部）１６に送られ、電話機１に外部から電話の着信があったか否かを判定する。判定の結果、「着信あり」と判定した場合は、着信された電話番号をワイヤレスハンズフリー機器２内の保存用メモリ１３に一旦保存する。そして、保存した着信電話番号は、３つの発信ボタン５，６，７のいずれかを引出し操作することにより、発信用メモリ１４の所定領域、即ち、各発信ボタン５，６，７と対応する個々のメモリ領域Ｒ１，Ｒ２，Ｒ３に登録する。
【００３４】
次に、ワイヤレスハンズフリー機器２における発信番号登録の動作手順について、図５を参照しつつ説明する。最初、利用者Ｕの電話機１は、外部から電話がかかってくることを持ち受ける状態にあるが、ステップＳ１では、電話機１に実際に着信があったか否かを処理部１６で判断する。
【００３５】
いま、電話機１に電話がかかってきた場合、着信音の発生と同時に「着信あり」と判断
される。すると、相手Ｐの電話機４の番号が、ワイヤレスハンズフリー機器２の保存用メモリ１３に自動的に一旦保存される（ステップＳ２）。そして、３つの発信ボタン５，６，７のどれか１つ、例えば、図３に示すように、発信ボタン５を上方に引き出す（ステップＳ３）と、前記メモリ１３に保存された着信電話番号は、ステップＳ４において、発信用メモリ１４の所定領域、即ち、前記引き出した第１発信ボタン５と対応する第１領域Ｒ１に割当られて記録登録される。この後、引き出した発信ボタン５は、図２に示すように、これを元の通常位置に戻しておく（ステップＳ５の登録完了）。
【００３６】
然る後、第１領域Ｒ１に登録した着信電話番号で発信する場合は、第１発信ボタン５をプッシュして発信操作すればよい。すると、処理部１６において「ボタン押し操作あり」と判断される（ステップＳ６）。判断後、第１発信ボタン５にて登録された着信電話番号、即ち、第１領域Ｒ１に登録済みの最新の電話番号で発信される（ステップＳ７）。これにより、利用者Ｕは相手Ｐとハンズフリー通話が可能になる。
【００３７】
このように、電話をかけてきた相手Ｐの電話番号を前記発信ボタン５で登録して、その登録番号で発信できるので、利用者Ｕは、一時的に電話を受話できず、後で相手Ｐに電話をかけ直す場合、電話番号を入力することなくボタン操作のみで手軽に行える。
【００３８】
なお、上記登録操作例では、メモリ１３に保存した着信番号を、第１発信ボタン５で第１領域Ｒ１に登録して発信する場合について説明したが、第２発信ボタン６又は第３発信ボタン７についても、前記と同様の手順により、それらと対応する第２領域Ｒ２又は第３領域Ｒ３に登録して発信できる。
【００３９】
従って、複数の異なる相手Ｐから電話機４がかかってきた場合、即ち、複数の着信電話番号を登録する必要が生じた場合でも、それぞれの着信番号を発信ボタン５，６，７の操作で３つのメモリ領域Ｒ１、Ｒ２、Ｒ３に区分して登録できる。斯くして、利用者Ｕは、発信ボタン５，６，７と対応する登録済み着信番号を選択して、選定した登録電話番号で随時発信操作しうる。尚、複数の利用者Ｕで使用するときは、各利用者Ｕ又は所持する電話機１の種類毎に使用する発信ボタン５，６，７をどれか１つに割り当てて、メモリ領域Ｒ１、Ｒ２、Ｒ３に区分して各別に登録できる。
【００４０】
次に、図６に基づいて、別の登録操作例を説明する。この登録操作例は、３つの発信ボタン５，６，７の少なくともいずれか１つを引き出した状態で、相手Ｐから電話がかかってきた際に、処理部１６において「着信あり」と判断し、着信番号の登録を行うことを特徴とする。なお、ワイヤレスハンズフリー機器２は、電話機１に電話がかかって着信音が鳴ると同時に、着信電話番号が保存用メモリ１３に自動的に保存されるが、以下、メモリ１３に着信電話番号が既に保存されているものとして説明する。
【００４１】
最初、利用者Ｕの電話機１は、電話の着信を持ち受ける状態にあるが、ステップＳ１１において、発信ボタン５，６，７のいずれかが引き出されているか否かが処理部１６で判断される。例えば発信ボタン５が引き出されていると判断されると、次に、ステップＳ１２では、電話機１に着信があるか否かが処理部１６で判断される。
【００４２】
いま、電話機１に相手Ｐから電話がかかってきて、ワイヤレスハンズフリー機器２の処理部１６において「着信あり」と判断されると、保存用メモリ１３に保存されている着信番号は、所定の発信用メモリ領域に記録登録される。即ち、前記引き出されている発信ボタン５と対応するメモリ領域Ｒ１が割当られて、該メモリ領域Ｒ１に保存済みの着信番号が記録登録される（ステップＳ１３）。この後、発信ボタン５を元の通常位置に戻しておく（ステップＳ１４）。
【００４３】
然る後、メモリ領域Ｒ１に登録した着信電話番号で発信する場合は、発信ボタン５を押せばよい。すると、処理部１６において「ボタン押し操作あり」と判断され（ステップＳ１５）、発信ボタン５にて登録した着信番号で発信される（ステップＳ１６）。これにより、利用者Ｕは相手Ｐとハンズフリー通話が行える。
【００４４】
このように、相手Ｐの電話番号を発信ボタン５，６，７のいずれかで登録して、その登録番号で発信できる。従って、利用者Ｕは、一時的に電話に出られず、後で電話をかけ直す場合、相手Ｐの電話番号を入力することなく、ワンタッチボタン操作のみで行える。
【００４５】
なお、利用者Ｕの都合により着信番号の登録を希望しない場合は、ステップＳ１１で発信ボタン５，６，７を引き出さなければよい。又、ステップＳ１１で発信ボタン５，６，７を引き出さない場合、もしくは、引き出してもステップＳ１２で「着信あり」と判断されない場合、あるいは、ステップＳ１４で発信ボタン５，６，７を元にもどした場合、ステップ１５に移行するが、発信ボタン５，６，７をプッシュＯＮしない限り、ワイヤレスハンズフリー機器２は、最初の着信待ち受け状態に戻る。
【００４６】
図５と図６において、発信ボタン５，６，７のいずれかに登録済みの電話番号で発信するときは、希望の登録済みの電話番号と対応する発信ボタン５，６，７を押せばよい。この発信操作は、着信判定及びボタン引出し判定の結果如何によらず随時実行できる。
【００４７】
以上述べた如く、相手Ｐから電話機１に着信があると、処理部１６において「着信あり」と判定され、相手Ｐの着信番号が保存用メモリ１３に一旦保存される。次に、登録ボタン５，６，７の引出し操作により、メモリ１３に保存されている着信番号が、発信用メモリ１４に登録される。
【００４８】
而して、例えば、使用者Ｕが電話に出られなくて、改めて相手Ｐにかけ直すときは、発信ボタン５，６，７をプッシュするだけで、電話機１を介して相手Ｐの電話機４に発信される。このように、電話をかけ直す際は、そのつど相手Ｐの電話番号を電話機１で打ち込むことなく、ワイヤレスハンズフリー機器２側の登録された電話番号を指定して、ボタン操作のみで簡便に発信できる。
【００４９】
又、登録ボタン５，６，７は、登録操作部の役割だけでなく発信操作部の役割も果たすので、専用の発信操作部を別途設ける必要がない。更に、登録ボタン５，６，７を複数設けたことにより、複数の相手Ｐから着信があった場合でも、複数の着信電話番号を個別に登録して発信できる。従って、複数の着信番号を確実に登録でき、かつ、該登録された複数の着信番号の管理が容易になる。
【００５０】
更に又、電話機１に着信音が鳴動すると同時に、着信番号がメモリ１３に保存されるので、直ぐに電話機１に応対できなかった場合でも、全ての着信番号が漏れなく保存される。この場合、登録ボタン５，６，７を引き出しておけば、保存した着信番号を全て自動登録することができる（ステップＳ３，４参照）。
【００５１】
次に、図７に基づいて、更に別の着信番号の登録操作例を説明する。この登録操作例の特徴は、着信があったら、一時保存メモリに着信電話番号を保存し、使用者Ｕが保存させたい電話番号であれば、発信ボタン５，６又は７のいずれかを引き出し、その後に、引き出した当該発信ボタン５，６又は７を元に戻すことで、対応発信メモリにデータ転送し保存することにある。
【００５２】
まず、電話の着信を持ち受ける状態にあるが、電話機１に相手Ｐから電話がかかってきたときは、ステップＳ２１において、ワイヤレスハンズフリー機器２の処理部１６におい
て「着信あり」と判断され、保存用メモリ１３に着信番号が保存される（ステップＳ２２）。次に、発信ボタン５，６，７のいずれかを引き出したか否かが処理部１６で判断される（ステップＳ２３）。例えば発信ボタン５を引き出した場合は、この後、ステップＳ２４に移行し、引き出した発信ボタン５を元に戻したか否かが処理部１６で判断される。
【００５３】
発信ボタン５を元に戻した場合は、引き出されている発信ボタン５と対応するメモリ領域Ｒ１が割当られて、該メモリ領域Ｒ１に、保存済みの着信番号が記録登録される（ステップＳ２５）。然る後、メモリ領域Ｒ１に登録した着信電話番号で発信する場合は、発信ボタン５を押せばよい。
【００５４】
すると、処理部１６において「ボタン押し操作あり」と判断され（ステップＳ２６）、発信ボタン５に登録された着信電話番号で発信される（ステップＳ２７）。これにより、利用者Ｕは相手Ｐとハンズフリー通話が行える。なお、着信番号の登録を希望しない場合は、ステップＳ２３で発信ボタン５，６，７を引き出さないか、ステップＳ２４で当該引き出した発信ボタン５，６，７を元に戻さなければよい。
【００５５】
このように、本実施例は、相手Ｐの電話番号をワイヤレスハンズフリー機器２側の内部メモリに選択的に登録できるので、電話をかけ直す際に、電話機１側で電話番号を打ち込むことなく、ワイヤレスハンズフリー機器２側で簡便に発信できる。又、発信ボタン５，６，７自体が登録操作部を兼用するので、部品点数が低減する。
【００５６】
上記実施例では、発信ボタン５，６，７を引出して戻すことにより、電話番号の登録を行うようにしたが、発信ボタン５，６，７を数秒間押し続けることにより、電話番号の登録を行うように構成することも可能である。
【００５７】
尚、本発明は、本発明の精神を逸脱しない限り種々の改変を為すことができ、そして、本発明が該改変されたものに及ぶことは当然である。
【図面の簡単な説明】
【００５８】
【図１】本発明の一実施の形態を示し、ハンズフリー通話装置を用いた全体のシステム構成を示す説明図。
【図２】一実施の形態に係る発信ボタンの通常状態を示す斜視図。
【図３】図２の発信ボタンの引き出し状態を示す斜視図。
【図４】一実施の形態に係るワイヤレスハンズフリー機器の構成例を示すブロック図。
【図５】一実施の形態に係るハンズフリー通話装置による発信番号登録の操作手順を説明するフローチャート。
【図６】一実施の形態に係るハンズフリー通話装置による発信番号登録の他の操作手順を説明するフローチャート。
【図７】一実施の形態に係るハンズフリー通話装置による発信番号登録の更に他の操作手順を説明するフローチャート。
【符号の説明】
【００５９】
１    電話機
２    ワイヤレスハンズフリー機器（電話機対応ブルートゥース機器）
３    ハンズフリー通話装置
４    電話機
５    発信ボタン（登録操作部兼用発信操作部）
６    発信ボタン（登録操作部兼用発信操作部）
７    発信ボタン（登録操作部兼用発信操作部）
８    受話ボタン
９    終話ボタン
１０  スピーカ（音声出力部）
１１  ボリュームスイッチ
１２  ボリュームスイッチ
１３  保存用メモリ（第１のメモリ部）
１４  発信用メモリ（第２のメモリ部）
１６  処理（判定）部
Ｕ    利用者
Ｐ    相手
【図１】
2006311247.tif 000003
【図２】
2006311247.tif 000004
【図３】
2006311247.tif 000005
【図４】
2006311247.tif 000006
【図５】
2006311247.tif 000007
【図６】
2006311247.tif 000008
【図７】
2006311247.tif 000009